(57)【要約】      （修正有）【課題】日常生活に直結した浮腫み等による怠さや、疲労等の弊害を取り除くと共に、腰痛症、浮腫症等の予防、又は阻止の提供をする。【解決手段】外装（カバー）材４の座面域中央下段に、間仕切り３を設ける。間仕切り３を境にして、前部座面域用、後部座面域用の各弾性体包含域を設ける。後部の弾性体包含域１には、上半分を軟質の弾性体、下半分を硬質の弾性体とした、硬軟二層一体形状弾性体を収める。  前部包含域２には、軟質一層のみとする弾性体を収める。後部座面域の弾性体は、上半身体重の殆どを、優れたクッション性を持った硬軟二層一体形状の弾性体が、然も、柔軟性を持って受け止める。従って、臀部への疲労感は固より、大腿部への過度な圧迫感迄もが緩和される。【選択図】図２
2007021127.tif 000002
【特許請求の範囲】
【請求項１】
座面中央下段部に、間仕切り（図２の３）を設けた外装（カバー）材（図１の３）の、前半分包含域（図２の２）には軟質弾性体（図３）だけを収める。ただし、後ろ半分包含域（図２の１）には、上半分用の軟質弾性体（図４の１）と、下半分用の硬質弾性体（図４の２）を接合、又は一体成形化した、硬軟異質の二層形状弾性体を収める。
其の、硬軟異質を特異とする包含材の質量によって、座面の前半分（図１の２）域と、後ろ半分（図１の１）域に段差を設けると共に、クッション性（弾性）にも硬軟性を持たせる事を特徴とした、段差クッション。
【発明の詳細な説明】
【技術分野】
【０００１】この発明は、座る、腰掛ける、などの動作によって引き起こされる疲労等による、弊害予防、及び軽減を目的としたクッション（弾性）に関するものである。
【背景技術】
【０００２】従来の、座布団やシートクッションに用いられている包合材の殆どは、均一な厚み仕様の為、座る、腰掛ける、などの動作において、上半身の体重が隼中する臀部（坐骨）直下域のみが過重負荷状態となる。結果、その限られた座面域のクッション性だけが重点的に損なわれ、隼中的な臀部の痛みや疲労、又は大腿部への局所的圧迫を起因とした、リンパ液、組織液の滞りが発生、浮腫症等の発症に繋がる。従って、日常生活に直結のデスクワーク等にも支障を来たす事となる。
【発明の開示】
【発明が解決しようとする課題】
【０００３】そこで、この発明は、日常生活に直結した浮腫み等による怠さや、疲労等の弊害を取り除くと共に、腰痛症、浮腫症等の予防、又は阻止の提供を課題とするものである。
【課題を解決するための手段】
【０００４】其れらの課題を解決する為、第一発明は、坐骨部位、つまり、臀部が接する座面域弾性体の上段部分にあたる軟質弾性体（図４の１）と、下段部分にあたる硬質弾性体（図４の２）を接着、又は接合し、硬軟一体化した二層形状弾性体（図４）を、外装（カバー）材（図１の３）により包合したものである。
大腿部が接する座面域の弾性体は軟質の弾性体（図３）だけとし、高さ（厚み）も臀部が接する座面域弾性体より低く（薄く）した。
【発明の効果】
【０００５】
【０００６】第一発明によれば、臀部が接する座面域（図１の１）に包含の弾性体（図４）と、大腿部が接する座面域（図１の２）に包含の弾性体（図３）の厚みに差を設けた上、臀部の接する座面域（図１の１）に包含の弾性体（図４）の上半分は軟質弾性体（図４の１）、下半分は硬質の弾性体（図４の２）としたことで、柔軟性や感触を損なう事無く、過度な負荷によって生じる後部座面（図１の１）域への隼中的な凹みや、ヘタリを防ぐ事が出来る。しかも、臀部座面（図１の１）域への体重集約で逃げ場を失ったクッション性による大腿部位の圧迫が軽減され、体内のリンパ液、或は、組織液の流れが円滑になる。従って、デスクワーク等につきものの、浮腫み等による足腰の怠さや、疲労、倦労感といった種々の弊害から解放される。
【発明を実施するための最良の形態】
【０００７】この発明の一実施形態を、図１から図４に示す。
図１は、外装（カバー）材（３）で弾性体を包含した本形態の斜視図である。
図２は、座面の前半分（２）域と、座面の後ろ半分（１）域の境に間仕切り（３）を設けることを特徴とした、弾性体包含域の斜視図である。
図３は、前半分（図２の２）域に収める、軟質弾性体の斜視図である。
図４は、後ろ半分（図２の１）域に収める、硬軟二層から成る弾性体の斜視図である。
「実施形態の効果」【０００８】従来の、座布団、シートクッション、座椅子等の座面域は平滑であり、クッション性も均一である。その為、大腿部位直下に比べ、上半身の体重が集中する臀部（坐骨）域直下の座面域を重点に重圧が掛かる事と成り、座面の一部分のみが過度に沈み込む（凹む）事となる。
結果、座面のどの位置に腰を下したとしても、逃げ場を失った弾性を原因とした座面からの圧迫が荷重の少ない大腿部位直下に集約される。
座椅子やソファー等に至っては、必ずと言っていいくらい、上体を後ろに反ら【０００９】して座る事を前提としており、座面前部域より座面後部域の方が低くなったものが殆どで、臀部（坐骨）域の接する位置よりも、大腿部の接する位置の方が高く（分厚く）なっている。然も、座面全体が同じクッション性なだけに、上半身の体重が集中する臀部（坐骨域）直下域だけが過度に沈み込む（凹む）事と成り、逃げ場を失ったクッション性（弾性）が荷重の少ない大腿部位直下に集約され、より大きな力となって大腿部位に過度な圧迫を齎らす事となる。【００１０】この実施形態によれば、弾性体包含域中央に、間仕切り（図２の３）を設け、座面後ろ半分（図２の１）域に、硬軟二層から成る弾性体（図４）を包含。上層の軟質弾性体（図４の１）によって、上半身の体重負荷を柔軟に受け止めると共に下層の硬質弾性体（図４の２）の適度な硬さによって、底付き感、つまり、体重の重圧によって弾性体が圧縮され、弾性体の持つ柔軟性が損なわれることで起こるクッション材自体の「ヘタリ」を防止する事が出来る。【００１１】この硬軟二層の弾性体（図４）により、臀部への隼中的な圧迫が軽減され、局所的な痛みや疲労等を阻止出来る。硬軟二層の弾性体（図４）は、荷重圧を適度に分散するだけでなく、座面の前半分（図１の２）域より一段高い後ろ半分（図１の１）域で、上半身体重の殆どを受け止めてくれる為、一段低い前半分（図１の２）域に接する大腿部位への圧迫は、皆無状態にまで解消される。【００１２】この事が、座り心地をも高め、大腿部位を流れるリンパ液や、組織液の流れを円滑にする事となる。長時間のデスクワーク等において生じる足の浮腫み等を予防、又は防止出来る事で、疲労や倦労感といった弊害から解放される。【００１３】「他の実施形態」（其の１）
図１の実施形態では、間仕切り（図２の３）を設け、弾性体を前部包含域（図２の２）と後部包含域（図２の１）に分割包含していたが、硬質弾性体（図７の２）と軟質弾性体（図７の１）を接合、又は一体成形化した弾性体（図７）を、外装（カバー）材（図５の３）の一括包含域（図６の１）に収めたものでも良い。【００１４】「他の実施形態」（其の２）【００１５】図１の実施形態では、後部座面域（図２の１）と、前部座面域（図２の２）中央に垂直で落差を設けているが、其処を傾斜（図９の４）落差とし、傾斜（図９の４）終端下部に間仕切り（図９の３）を設ける。外装（カバー）材（図８の１）の後部包含域（図９の１）には、軟質弾性体（図１１の１）と、硬質弾性体（図１１の２）を接合又は一体成形化し、傾斜（図１１の３）域を設けた硬軟二層の弾性体（図１１）を収め、前半分包含域（図９の２）には、軟質弾性体（図１０）を収めたものでも良い。
「他の実施形態」（其の３）【００１６】図１の実施形態では、後部座面域（図２の１）と、前部座面域（図２の２）中央に垂直で落差を設けているが、其処を傾斜（図９の４）落差とした外装（カバー）材（図１２）の、一括包含域（図１３の１）に、軟質弾性体（図１４の１）と、硬質弾性体（図１４の２）を接合、又は一体成形化した、硬軟異質の一体化弾性体（図１４）を収めたものでも良い。
「他の実施形態」（其の４）【００１７】図１の実施形態では、二分割は不可であるが、下段部（図１５の１）に、間仕切り（図１６の３）を設け、下段包含域（図１６の１と２）と、上段包含域（図１６の４）を設ける。軟質弾性体（図１７）を、上段包含域（図１６の４）と、下段前部包含域（図１６の２）に収め、硬質弾性体（図１８）を、下段後部包含域（図１６の１）に収める。上段部（図１５の２）と、下段部（図１５の１）を分離可能な接続具（図１６の５）で接続したものでも良い。
「他の実施形態」（其の５）【００１８】図１の実施形態では、三分割は不可であるが、同型三包含域（図２０の１と２と３）を設け、軟質弾性体（図２２）を、上段包含域（図２０の１）と、下段前部包含域（図２０の３）に、硬質弾性体（図２３）を、下段後部包含域（図２０の２）に、それぞれ収め、分離可能な接続具（図２１の４）で接続（二箇所）したものでも良い。
「他の実施形態」（其の６）
図１の実施形態では、前部座面域（図１の２）と、後部座面に（図１の１）に段差を設けたが、軟質弾性体（図２６の１）と、硬質弾性体（図２６の２）を接合、又は一体成形化し、中央域から前部先端域にスロープ域（図２６の３）を設けた硬軟二層から成る弾性体（図２６）を、同じく、スロープ域（図２６の３）を設けた外装（カバー）材（図２４の２）の一括包含域（図２５の１）に収めるものでも良い。
「他の実施形態」（其の７）【００１９】図１の実施形態では、平坦な後部座面域（図１の１）を設けたが、硬軟一体化弾性体（図３０）に、後方下がりの、スロープ（傾斜）（図３０の３）を設け、同じく、後方下がりの、スロープ（傾斜）（図２７の４）を設けた外装（カバー）材（図２７の３）の、硬軟一体化弾性体包含域（図２８の１）に収めるものでも良い。
「他の実施形態」（其の８）【００２０】図１の実施形態では、平坦な後部座面域（図１の１）を設けたが、硬軟一体化弾性体（図３４）に、滑り止め（凸部）（図３４の３）を設け、同じく、滑り止め（凸部）（図３２の５）を設けた外装（カバー）材（図３１の３）の、硬軟一体化弾性体包含域（図３２の１）に収めるものでも良い。
【図面の簡単な説明】
【００２１】
【図１】この発明の実施形態を示す斜視図である。〔符号の説明〕１は、後部座面域  ２は、前部座面域  ３は、外装（カバー）材
【００２２】
【図２】弾性体の包含域を示す斜視図である。〔符号の説明〕１は、硬軟一体化弾性体包含域  ２は、軟質弾性体包舎域  ３は、間仕切り  ４は、外装（カバー）材
【００２３】
【図３】軟質弾性体の斜視図である。
【図４】硬軟一体化弾性体の斜視図である。〔符号の説明〕１は、軟質弾性体域  ２は、硬質弾性体域
【００２４】
【図５】他の実施形態（その１）の斜視図である。〔符号の説明〕１は、後部座面域  ２は、前部座面域  ３は、外装（カバー）材
【００２５】
【図６】他の実施形態（その１）の弾性体包含域を示す斜視図である。〔符号の説明〕１は、一括包含域  ２は、外装（カバー）材
【図７】他の実施形態（その１）の硬軟一体化弾性体の斜視図である。〔符号の説明〕１は、軟質弾性体域（二箇所）  ２は、硬質弾性体域
【００２６】
【図８】他の実施形態（その２）の斜視図である。〔符号の説明〕１は、後部座面域  ２は、前部座面域  ３は、外装（カバー）材  ４は、傾斜
【００２７】
【図９】他の実施形態（その２）の弾性体包含域を示す斜視図である。〔符号の説明〕１は、硬軟一体化弾性体包含域  ２は、軟質弾性体包含域  ３は、間仕切り  ４は、傾斜  ５は、外装（カバー）材
【００２８】
【図１０】他の実施形態（その２）の軟質弾性体の斜視図である。
【図１１】他の実施形態（その２）の硬軟一体化弾性体の斜視図である。〔符号の説明〕１は、軟質弾性体域  ２は、硬質弾性体域  ３は、傾斜
【００２９】
【図１２】他の実施形態（その３）の斜視図である。〔符号の説明〕１は、後部座面域  ２は、前部座面域  ３は、外装（カバー）材  ４は、傾斜
【図１３】他の実施形態（その３）の弾性体包含域を示す斜視図である。〔符号の説明〕１は、一括包含域  ２は、傾斜  ３は、外装（カバー）材
【００３０】
【図１４】他の実施形態（その３）の硬軟一体化弾性体の斜視図である。〔符号の説明〕１は、軟質弾性体域  ２は、硬質弾性体域  ３は、傾斜
【００３１】
【図１５】他の実施形態（その４）の斜視図である。〔符号の説明〕１は、下段部  ２は、上段部  ３は、外装（カバー）材（二箇所）
【００３２】
【図１６】他の実施形態（その４）の弾性体包含域を示す斜視図である。〔符号の説明〕１は、硬質弾性体包含域  ２は、軟質弾性体包含域  ３は、間仕切り  ４は、軟質弾性体包含域  ５は、接続具  ６は、外装（カバー）材（二箇所）
【００３３】
【図１７】他の実施形態（その４）の軟質弾性体の斜視図である。
【図１８】他の実施形態（その４）の硬質弾性体の斜視図である。
【図１９】他の実施形態（その５）の斜視図である。〔符号の説明〕１は、上段部  ２は、下段後部  ３は、下段前部  ４は、外装（カバー）材（三箇所）
【００３４】
【図２０】他の実施形態（その５）の弾性体包含域を示す後方斜視図である。〔符号の説明〕１は、軟質弾性体上段部包含域  ２は、硬質弾性体下段後部包含域  ３は、軟質弾性体下段前部包含域  ４は、接続具  ５は、外装（カバー）材（三箇所）
【００３５】
【図２１】他の実施形態（その５）の折り重ねを示す後方斜視図である。〔符号の説明〕１は、軟質弾性体上段部包含域  ２は、硬質弾性体下段後部包含域  ３は、軟質弾性体下段前部包含域  ４は、接続具（二箇所）  ５は、外装（カバー）材（三箇所）
【００３６】
【図２２】他の実施形態（その５）の軟質弾性体の斜視図である。
【図２３】他の実施形態（その５）の硬質弾性体の斜視図である。
【図２４】他の実施形態（その６）の斜視図である。〔符号の説明〕１は、スロープ域  ２は、外装（カバー）材
【００３７】
【図２５】他の実施形態（その６）の弾性体包含域を示す斜視図である。〔符号の説明〕１は、一括包含域  ２は、スロープ域  ３は、外装（カバー）材
【図２６】他の実施形態（その６）の硬軟一体化弾性体の斜視図である。〔符号の説明〕１は、軟質弾性体域  ２は、硬質弾性体域  ３は、スロープ域
【００３８】
【図２７】他の実施形態（その７）の斜視図である。〔符号の説明〕１は、後部座面域  ２は、前部座面域  ３は、外装（カバー）材  ４は、スロープ（傾斜）
【００３９】
【図２８】他の実施形態（その７）の弾性体包含域を示す斜視図である。〔符号の説明〕１は、硬軟一体化弾性体包含域  ２は、軟質弾性体包含域  ３は、間仕切り  ４は、外装（カバー）材  ５は、スロープ（傾斜）
【００４０】
【図２９】他の実施形態（その７）の軟質弾性体の斜視図である。
【図３０】他の実施形態（その７）の硬軟一体化弾性体の斜視図である。〔符号の説明〕１は、軟質弾性体域  ２は、硬質弾性体域  ３は、スロープ（傾斜）
【００４１】
【図３１】他の実施形態（その８）の斜視図である。〔符号の説明〕１は、後部座面域  ２は、前部座面域  ３は、外装（カバー）材  ４は、滑り止め（凸部）
【図３２】他の実施形態（その８）の弾性体包含域を示す斜視図である。〔符号の説明〕１は、硬軟一体化弾性体包含域  ２は、軟質弾性体包含域  ３は、間仕切り  ４は、外装（カバー）材  ５は、滑り止め（凸部）
【００４２】
【図３３】他の実施形態（その８）の軟質弾性体の斜視図である。
【図３４】他の実施形態（その８）の硬軟一体化弾性体の斜視図である。〔符号の説明〕１は、軟質弾性体域  ２は、硬質弾性体域  ３は、滑り止め（凸部）
【００４３】
【図１】
2007021127.tif 000003
【図２】
2007021127.tif 000004
【図３】
2007021127.tif 000005
【図４】
2007021127.tif 000006
【図５】
2007021127.tif 000007
【図６】
2007021127.tif 000008
【図７】
2007021127.tif 000009
【図８】
2007021127.tif 000010
【図９】
2007021127.tif 000011
【図１０】
2007021127.tif 000012
【図１１】
2007021127.tif 000013
【図１２】
2007021127.tif 000014
【図１３】
2007021127.tif 000015
【図１４】
2007021127.tif 000016
【図１５】
2007021127.tif 000017
【図１６】
2007021127.tif 000018
【図１７】
2007021127.tif 000019
【図１８】
2007021127.tif 000020
【図１９】
2007021127.tif 000021
【図２０】
2007021127.tif 000022
【図２１】
2007021127.tif 000023
【図２２】
2007021127.tif 000024
【図２３】
2007021127.tif 000025
【図２４】
2007021127.tif 000026
【図２５】
2007021127.tif 000027
【図２６】
2007021127.tif 000028
【図２７】
2007021127.tif 000029
【図２８】
2007021127.tif 000030
【図２９】
2007021127.tif 000031
【図３０】
2007021127.tif 000032
【図３１】
2007021127.tif 000033
【図３２】
2007021127.tif 000034
【図３３】
2007021127.tif 000035
【図３４】
2007021127.tif 000036